(57)【特許請求の範囲】
【請求項１】
上部に抜け止めを有する係合軸をそなえた支柱と、両端部に前記抜け止めを通す孔と、この孔に続いて係合軸を係合させる長孔を設けた連結部材をそなえ、屋根上で、４本の前記支柱の上部相互を４個の連結部材で着脱可能に連結して基準枠を形成し、前記基準枠から順次に、それぞれ連結部材の一方端を支柱の上部に連結させ、他方端を別の支柱の上部に着脱可能に連結することにより、屋根上の必要な部分を囲む枠組みを形成し、この枠組みの上に日よけシートを設けたことを特徴とする屋根上工事用日よけ装置。
【請求項２】
上部に複数の軸方向の角孔を有する係合筒を設けた支柱と、両端部に前記角孔に挿通する可動係合片を回動可能に取り付けた連結部材をそなえ、屋根上で、４本の前記支柱の上部相互を４個の連結部材で可動係合片を係合筒の角孔着脱可能に連結して基準枠を形成し、前記基準枠から順次に、それぞれ連結部材の一方端を支柱上部の係合筒に可動係合片を挿通させ、他方端の可動係合片を別の支柱の係合筒に挿通させ、それぞれの可動係合片を設屋根の傾斜に合わせた角度に回動させて連結することにより屋根上の必要な部分を囲む枠組みを形成し、この枠組みの上に日よけシートを設けたことを特徴とする屋根上工事用日よけ装置。
【請求項３】
前記連結部材が、両端部に回動可能に設け支柱上部の係合筒に挿通する可動係合片と、両端部の同じ側にそれぞれ直角方向に突出させて固定した固定係合片とを設け、この可動係合片を支柱と連結部材が直角に連結されるときは固定係合片を、直角以外の角度で連結されるときは可動係合片を、それぞれ係合筒の角孔に挿入して支柱と連結部材を連結させ、前記可動係合片を屋根の傾斜に合わせた角度で連結部材に締め付け固定させることを特徴とする請求項２の屋根上工事用日よけ装置。
【発明の詳細な説明】
【０００１】
【発明の属する技術分野】
本発明は、建築現場の瓦工事や葺き替え、塗装など、屋根上での作業における環境を改善する日よけ装置に関する。
【０００２】
【従来の技術】
従来、家屋の建築や改修現場の屋外作業、とくに瓦工事のように屋根上での作業は、直射日光と屋根の照り返しを受けるため、夏の炎天下のように日差しが強いときは疲労が大きく、高所作業のため危険度が大きい。また、雨天の作業も考慮して、例えば特開平７−１８８７４号や特開平１１−２２９６０７号のように建物の外周を囲む足場を設け、両側の足場間に屋根の上方を覆う日よけシートをワイヤーで吊持させ、あるいは特開平１０−２６６５７８号のように建物を囲む足場の上部にクレーンで吊ったシートをかぶせ、建物全体を覆うようにした全天候型足場装置が採用されている。
【０００３】
【発明が解決しようとする課題】
しかるに、建築物の全体を覆う足場は、仮設費用が大きく、装置も大掛かりになり一般住宅の建築、とくに屋根だけの短期間の工事には不向きであった。
本発明は、従来のように足場を組む必要がなく、屋根上での作業だけで簡単に組み立てができる日よけ装置を提供するものである。
【０００４】
【課題を解決するための手段】
このため、支柱と連結部材を屋上に運び上げ、屋根上とくに棟を跨いだ両側の位置に４本の支柱を配置し、両端部をこの支柱相互の上部に着脱可能に連結させる連結部材を、棟の方向と棟を横切る方向にそれぞれ連結して基準枠を形成し、この基準枠から順次に前記基準枠と同様の連結部材と支柱を連結して、支柱相互が連結部材で連結された枠組みを形成させ、この枠組みの上に日よけシートを張って屋根上工事用日よけ装置を構成させる。
最初に形成する基準枠は、屋根上の適宜の場所に設けることができるが、棟を跨いだ位置に形成させるのが好ましく、この基準枠の支柱を軸方向に分割して、連結部材を取り付けたのちに必要な高さに継なぐようにしてもよい。
【０００５】
なお、支柱と連結部材との好ましい連結手段としては、支柱の上部に抜け止めを有する係合軸（角形軸が好ましい）をそなえ、連結部材の両端部に前記抜け止めを通す孔とこの孔に続いて係合軸を挿通する長孔を設けて、係合軸と前記長孔によって着脱可能に連結させる。
また、支柱上端部の周りにそれぞれ軸方向の角孔を有する係合筒を直角方向に４個そなえ、連結部材の両端部には、固定した固定係合片や回動可能に取り付けられ任意の角度で固定させる可動係合片を設け、この固定係合片や可動係合片を支柱に設けた係合筒の角孔に差し込んで連結するようにしている。
【０００６】
なお、支柱に連結した連結部材をクランプする筋交いを設けて、連結部を補強することができる。
また、必要によって、前記枠組みの数箇所の連結部材に、屋根の縁に着脱可能に連結するロープを取り付けることができる。
【０００７】
【発明の実施の形態】
屋根の上、とくに棟を跨いだ四辺形の角になる位置にそれぞれ支柱を配置し、その上部を連結部材で連結して基準枠を形成させ、前記基準枠の支柱上部に、それぞれ一方端を連結させ他方端を別の支柱の上部に着脱可能に連結する連結部材を取り付けて基準枠から順次に延長させ、屋根上の必要な部分を覆う枠組みを形成させる。要すれば、連結部材で延長する都度あるいは適宜の枠組みをしたのちに、全部または必要個所の支柱と連結部材とを筋交いで連結して補強し、この枠組みの上に日よけシートを張って屋根上工事用日よけ装置を構成させる。
【０００８】
なお、支柱は軽量化のためパイプを用いるのが好ましく、上部に連結部材の端部との係合手段をそなえており、連結部材は同様のパイプを用いて両端部に前記係合手段に着脱可能に挿通させて連結し、相互の抜け止めを設けている。
なお、係合手段としては、支柱上部に係合軸を設け、連結部材の両端部に設けた長孔を係合軸に通して連結させ、とくに前記係合軸は、長孔と嵌合する部分を長孔の幅に合わせた角形にすることが望ましい。また、支柱の上端部の外周に軸方向の挿入孔をそなえた係合筒を設け、連結部材の両端部に設けた係合片を前記挿入孔に上方から嵌合させるようにしている。
また、連結部材両端部の連結部は、パイプのままでもよいが、片側あるいは両側から圧縮して偏平な圧潰部にしておくのが好ましく、支柱と連結部材とを連結する筋交いを設けて枠組みを強固にすることが望ましい。
【０００９】
基準枠は、棟を跨いで形成させると作業が容易で安定がよく、基準枠およびその後の組立作業を円滑に行える利点があるが、傾斜した部分に基準枠を組むこともできる。
また、基準枠に用いる支柱を、分割して軸方向に継なぐようにしておけば、基準枠の支柱と連結部材との連結を低い位置で行い、支柱を伸ばして所要の高さにすることができ、確実な組み立て作業を容易に行うことができるが、他と同じ支柱を使ってもよい。
また、枠組みの数箇所の連結部材とくに外側の連結部材に、屋根の縁に連結するロープを取り付けておけば、枠組みが一層安定し、風による被害を防ぐことができる。
【００１０】
【実施例】
これを図に示す実施例について説明する。
図１は本発明の実施例を示す側面図、図２はその上面図で。Ａは屋根、Ｂはその棟、１は屋根Ａの上に載置した支柱で、図３に例示するように、適宜の大きさの鉄あるいはアルミのパイプの上端に抜け止め１１をそなえた係合軸１２を取り付け、下方端に屋根の傾斜に合わせるように回動する下駄１３を設けている。
２は連結部材で、鉄あるいはアルミのパイプを用い、図４および図５に例示するように、パイプの両端部に前記支柱の抜け止め１１を通す孔２１と、この孔２１に続く長孔２２をそなえて係合軸１２を挿通させるようにしており、支柱１の係合軸１２に着脱可能に連結される。３は筋交い、４は日よけシートで、寒冷紗のようなメッシュ織布を用い、適宜な箇所で連結部材２に結び付けている。
【００１１】
なお、支柱１および連結部材２は、瓦葺きなどを行うため組み立てた支柱を持ち上げる場合があり、運搬や組み立てのためにも、パイプなどの軽い素材が望ましいが、風により吹き飛ばされないために適当な重量がある方がよい。
係合軸１２は、長孔２２の幅に合わせた角形にして長孔の両側に面接触させることにより、支柱１に連結した連結部材２の横振れを小さくできる。また、連結部材２の両端を押圧して偏平な圧潰部２３にして、連結した重なり部分の厚さを小さくして係合軸を短くするようにしている。
筋交い３は、図６および図７に示すように、一方端部をあらかじめ支柱１に締め付けねじ５で取り付け、他方端部に連結部材２を挟むクランプ６を設けて、蝶ねじ７で締め付けるようにしており、支柱と連結部材２との連結角度に応じてクランプ位置を調整する。
【００１２】
屋根Ａの上に支柱１と連結部材２を運び、棟Ｂの両側に跨がる四辺形の角になる位置にそれぞれ支柱１を配置し、この４本の支柱１の上端にそれぞれ連結部材２を、支柱１の抜け止め１１を連結部材２の孔２１に通して係合軸１２が長孔２２に嵌合するようにずらせて連結し、支柱１と連結部材２に筋交い３を取り付けて棟Ｂを跨いだ基準枠１０を形成させる。
【００１３】
この基準枠１０の各支柱１の係合軸１２に、別の連結部材２の一方端を重ねて同様に係合連結させ、この連結部材２の他方端を、別の支柱１に連結して基準枠を延長させ、延長した支柱にさらに連結部材２を連結し、延長した支柱相互を連結して必要な大きさの格子状の枠組み２０を形成させ、延長する都度、または枠組みを終わってから必要箇所の支柱１と連結部材２に筋交い３を取り付けて補強する。この枠組み２０の上に日よけシート４をかぶせる。
なお、日よけシート４は、寒冷紗のようなメッシュ織布を用いれば風の影響が少ないが、薄い布地やビニール布など適宜のシートを用い、脱落しないように連結部材２または支柱１に結び付けておけばよい。
【００１４】
支柱１に係合軸１２を設けて連結部材２を挿通させる場合は、図６に示されているように、複数個の連結部材２が重なって係合され、屋根の傾斜によって連結部材２が傾いた状態で連結されるので、場所によって係合軸１２の必要な長さが異なり、係合軸を一定の長さにしておけば抜け止め１１との間に遊びを生じる。この遊びは実用的には差し支えないが、図８の実施例のように、係合軸１２の下方にねじ８を設け、支柱１にねじ結合させることにより、支柱１の上端と抜け止め１１の間隔を調節して遊びをなくすことができる。
【００１５】
最初に組み立てる基準枠１０は、棟Ｂを跨いで屋根の中央部に設け、図２では連結部材２の長さを２種類にして矩形の枠組み２０を形成しているが、これに限られず基準枠１０は任意の位置に設けることができる。しかし、棟Ｂを跨ぐ位置に設けることにより、基準枠１０の連結部材２がいずれも水平方向になり、滑りがなく安定がよいので、組み立てが容易になる利点がある。
また、基準枠として用いる支柱を、図６のように軸方向に分割して継なぐようにしておけば、組み立て時に連結部材２の位置が低くなり連結作業を容易にすることができる。
なお、連結部材２は、１８０ｃｍないし３６０ｃｍ程度の長さにして支柱１の数を少なくするようにしているが、枠組みの単位を正方形にすれば、連結部材２を１種類に統一することができる。
【００１６】
屋根上での作業は、とくに工期が短い場合は通常好天の時に行われ、日よけシート４に軽いメッシュ状のシートを用い、枠組み２０を棟Ｂの両側に跨がって設置することにより、風で枠組み２０が飛ばされたり崩れるなどの影響を受けることはないが、要すれば図９に示すように、連結部材２に結び付けたロープ９を引っ掛け金具１１により屋根の縁に着脱可能に連結させておくことができる。なお、ロープ９は支柱１の上部に結び付けてもよく、引っ掛け金具１１に替えて屋根の縁に仮に打ち込んだ釘などに連結するようにしてもよい。また、図では枠組み２０の端を構成する連結部材に結んでいるが、支柱１とロープ９の角度が小さい場合は、枠組み２０の端から内側の連結部材に結び付けて引っ張り効果を強くすればよい。このロープ９は、妻側にも設けることができ、とくに、日よけ装置を棟Ｂから片寄らせて設ける場合は反対側の縁に連結することで枠組みとシートを有効に保持できる。
【００１７】
図１０ないし図１６は、支柱１および連結部材２の別の実施例を示すもので、先の実施例と同じ部分には同一の符号を付している。
支柱１は適宜の大きさのパイプで、その上方端の周りに軸方向の角孔１５を有する係合筒１４をそれぞれ直角方向に４個そなえ、下方端にコ字状の下駄１３をピン１６で取り付けている。
２は連結部材で、パイプの両端に圧潰部２３を設け、前記角孔１５に嵌合させる可動係合片２５をピン２４で回動自由に取り付けている。２６は可動係合片２５に設けた抜け止め孔で、係合筒１４に挿入したのち図示しない抜け止めピンを挿入する。
【００１８】
屋根Ａの棟Ｂを挟んで両側に跨がる四辺形の角になる位置にそれぞれ支柱１を配置し、この４本の支柱１相互の対向する係合筒１４の角孔１５に、それぞれ連結部材２の両端部を、連結部材２に対して９０°にねじ２７で締め付け固定させた可動係合片２５を挿入して連結させ、基準枠１０を構成し、抜け止めピンを抜け止め孔２６に挿入する。
この基準枠１０の４本の支柱１の別の係合筒１４に、別の連結部材２の一方端の可動係合片２５を挿入して連結させ、この連結部材２の他方端の可動係合片２５を別の支柱１の係合筒１４に挿入して基準枠１０を延長させ、順次に必要なだけ連結延長させるとともに、それぞれの可動係合片２５は、棟Ｂと平行な連結部材では９０°に、屋根の傾斜方向の連結部材では、傾斜に合わせた角度でねじ２７によって締め付け固定させる。
【００１９】
なお、係合筒１４の角孔１５を丸孔に替え、可動係合片２５を丸棒にして連結することもできるが、角形にすることにより連結方向を直角に保持できるとともに、左右の振れを防止できる利点がある。
図１６は、支柱１と連結部材２の間に筋交い３を設けた状態を示しており、図６の実施例と同様であるが、２方向のみを示している。
なお、係合筒１４を長くして可動係合片２５との嵌合部を長くしておけば、連結が強固になり、筋交いを省略することが可能になる。
【００２０】
図１７および図１８は連結部材の別の実施例で、連結部材２の両端部に可動結合片２５とともに、連結部材２の同じ側に直角方向に突出させた固定結合片２８を設けている。
このため、支柱１に対して直角に連結部材２を連結する場合は、固定結合片２８を結合筒１４の角孔１５に挿入して連結し、屋根の傾斜によって支柱１との連結角度が直角以外のときは、可動結合片２５を結合筒１４に挿入させる。これにより、支柱１に対して直角に連結する場合の連結部材の保持が確実になり、ねじ２７の緩みなどによる枠組みの強度低下を防ぎ、とくに基準枠の形成を簡単確実に行うことができる。
【００２１】
なお、両端部に固定係合片２８だけを設けた連結部材２を別個に設け、可動係合片２５だけをそなえた連結部材との２通りの連結部材を用い、支柱１に直角方向に連結する場合は、固定係合片の連結部材を用いて連結を確実にすることができる。
【００２２】
【発明の効果】
このように本発明は、作業をする屋根の上で、４本の支柱と連結部材によって基準枠を形成し、基準枠と同様の支柱と連結部材を用いて基準枠から必要な大きさに連結延長して枠組みを形成させ、この枠組みの上に日よけシートをかぶせるようにしているので、建物の側面に足場を設ける必要がなく、組み立てが容易になり、１人での組み立ても可能であり、低費用で良好な作業環境を作ることができ、一般住宅の建築や修理に有効である。
【００２３】
最初に組み立てる基準枠を、棟を挟んで両側に跨がった位置に形成させるようにすれば、屋根の上でも基準枠の連結部材が水平方向に連結され、平地と同様に作業を行うことができ、基準枠を強固に形成でき、枠組みの安定が保たれる効果があり、基準枠の支柱を分割して継なぐようにしておけば、基準枠の組み立て作業をさらに容易に行うことができる。
【００２４】
支柱と連結部材との連結手段として、支柱の上部に抜け止めを有する係合軸をそなえ、連結部材に前記抜け止めを通す孔とこの孔に続く長孔を設けて、係合軸を長孔に着脱可能に連結することにより連結を簡単にし、組み立て時間を短縮できる。
【００２５】
また、支柱の上部に軸方向の角孔を有する係合筒を連結方向に設け、連結部材の両端部に前記角孔に挿通させる可動係合片をそなえて、角孔と可動係合片の嵌合によって連結させ、可動係合片を屋根の傾斜に合わせて角度で連結部材に締め付け固定させるようにすれば、連結作業が簡単になり、傾斜の異なる屋根にも使用できる効果があり、係合筒の長さに応じて枠組みが強固になる利点がある。
【００２６】
なお、支柱の全部あるいは必要なものに、連結部材と連結する筋交いを設けることによって枠組みの強度を補強でき、この筋交いの連結部材側の位置を調整してクランプすれば、あらかじめ同じ長さの筋交いを支柱に取り付けておくことができる。
【００２７】
基準枠を形成した支柱相互を連結部材で連結し延長させた枠組みを構成しているので、通常の天候では、風に対しても十分な強度を保持できるが、適宜の連結部材を選択して、複数箇所で屋根の縁に着脱可能に連結するロープをそなえておけば、強い風にも十分な強度を保持し、枠組みのつぶれや脱落なども防ぐことができ、とくに屋根上の片側の傾斜部分だけに日よけを設ける場合に、日よけ装置を確実に保持できる効果が得られる。
【図面の簡単な説明】
【図１】本発明の実施例を示す側面図である。
【図２】図１の上面図である。
【図３】支柱の例を示す側断面図である。
【図４】連結部材の例を示す平面図である。
【図５】図４の側面図で、一部を断面で示している。
【図６】連結部分を示す側面図で、基準枠との連結部分を示している。
【図７】図６のＸ−Ｘ線に沿う拡大断面図である。
【図８】支柱の別の例を示す側断面図である。
【図９】補強を増大させた実施例を示す枠組みの部分図である。
【図１０】支柱の異なる実施例を示す側面図である。
【図１１】図１０の中央側断面図である。
【図１２】図１０の拡大した上面図である。
【図１３】連結部材の異なる実施例を示す側面図である。
【図１４】図１３の下面図である。
【図１５】図１３のＹ−Ｙ線に沿う拡大した側断面図である。
【図１６】異なる実施例における連結状態を示す正面図である。
【図１７】さらに異なる連結部材を示す側面図である。
【図１８】図１７のＺ−Ｚ線に沿う拡大した側断面図である。
【符号の説明】
Ａ    屋根
Ｂ    棟
１    支柱
２    連結部材
３    筋交い
４    日よけシート
９    ロープ
１０  基準枠
１１  抜け止め
１２  係合軸
１３  下駄
１４  係合筒
１５  角孔
２０  枠組み
２１  孔
２２  長孔
２３  圧潰部
２５  可動係合片
２６  抜け止め孔
２８  固定係合片
３０  引っ掛け金具
【図１】
0003709173.tif 000002
【図２】
0003709173.tif 000003
【図３】
0003709173.tif 000004
【図４】
0003709173.tif 000005
【図５】
0003709173.tif 000006
【図６】
0003709173.tif 000007
【図７】
0003709173.tif 000008
【図８】
0003709173.tif 000009
【図９】
0003709173.tif 000010
【図１０】
0003709173.tif 000011
【図１１】
0003709173.tif 000012
【図１２】
0003709173.tif 000013
【図１３】
0003709173.tif 000014
【図１４】
0003709173.tif 000015
【図１５】
0003709173.tif 000016
【図１６】
0003709173.tif 000017
【図１７】
0003709173.tif 000018
【図１８】
0003709173.tif 000019